(57)【要約】      （修正有）【課題】ダイカスト部品の構造強度が確保されるダイカスト装置を提供する。【解決手段】ダイカスト装置１０は溶湯を収容するキャビティ１１０と複数の注湯通路１２０が設けられた金型１００と連携する。複数の注湯通路がそれぞれキャビティの異なる位置に連通される。ダイカスト装置は複数の射出機構２００を含み、各射出機構はそれぞれ注湯通路に対応するノズル２４０を含み、ノズルに、キャビティに溶湯を注入するようにキャビティに連通する射出通路２４１が設けられる。これにより、キャビティの異なる位置から射出通路までの距離が減少する。溶湯の流通抵抗や圧力損失が低減し、ダイカスト部品を迅速かつ正確に成形することができる。溶湯が固化して体積が収縮することによりキャビティの周縁部分に新たな充填空間が形成された場合、異なる射出通路における溶湯が新たな充填空間に迅速に充填されることによって、「収縮補償」が実現される。【選択図】図３
0003232142.tif 000002
【実用新案登録請求の範囲】
【請求項１】
キャビティと、それぞれで前記キャビティの異なる位置に連通される複数の注湯通路が設けられた金型と連携するダイカスト装置であって、
複数の射出機構を含み、各前記射出機構は，それぞれ前記注湯通路に対応するノズルを含み、前記ノズルに、前記キャビティに溶湯を注入するように前記キャビティに連通する射出通路が設けられている
ことを特徴とするダイカスト装置。
【請求項２】
前記キャビティは、その一部の境界が金型の左の内壁面で画定され、前記注湯通路は、前記左の内壁面を貫通する左の注湯通路を含み、前記射出機構は左の射出機構を含み、前記左の射出機構のノズルが前記左の注湯通路と対応し、前記左の射出機構は一つ以上であり、前記左の注湯通路の数と前記左の射出機構の数とが等しい
ことを特徴とする請求項１に記載のダイカスト装置。
【請求項３】
前記キャビティは、さらにその一部の境界が金型の右の内壁面で画定され、前記注湯通路は、前記右の内壁面を貫通する右の注湯通路を含み、前記射出機構は右の射出機構を含み、前記右の射出機構のノズルが前記右の注湯通路と対応し、前記右の射出機構は一つ以上であり、前記右の注湯通路の数と前記右の射出機構の数とが等しい
ことを特徴とする請求項２に記載のダイカスト装置。
【請求項４】
前記左の射出機構と前記右の射出機構は、いずれも射出通路の中心軸が前記第１方向に平行しており、あるいは前記左の射出機構及び前記右の射出機構は、いずれも射出通路の中心軸が前記第１方向に対し所定の角度をなす
ことを特徴とする請求項３に記載のダイカスト装置。
【請求項５】
前記キャビティは、さらにその一部の境界が金型の前内壁面と後内壁面とで画定され、前記前内壁面と前記後内壁面は、第２方向に間隔を置いて配置され、前記第２方向は前記第１方向に対し垂直であり、前記前内壁面は前記左の内壁面と前記右の内壁面の何れか一方の端部の間に接続され、前記後内壁面は前記左の内壁面と前記右の内壁面の他方の端部の間に接続され、前記注湯通路は、前記前内壁面を貫通する前部注湯通路と、前記後内壁面を貫通する後部注湯通路とをさらに含み、前記射出機構は、前部射出機構と後部射出機構とをさらに含み、前記前部射出機構のノズルは、前記前部注湯通路に対応し、前記後部射出機構のノズルは、前記後部注湯通路に対応する
ことを特徴とする請求項３に記載のダイカスト装置。
【請求項６】
前記前部射出機構と前記後部射出機構は、いずれも射出通路の中心軸が前記第２方向に平行し、或いは前記前部射出機構と前記後部射出機構は、いずれも射出通路の中心軸が前記第２方向に対し所定の角度をなす
ことを特徴とする請求項５に記載のダイカスト装置。
【請求項７】
前記前部射出機構と前記後部射出機構は、いずれも一つ以上であり、前記前部射出機構と前記前部注湯通路の数は等しく、前記後部射出機構と前記後部注湯通路の数は等しい
ことを特徴とする請求項５に記載のダイカスト装置。
【請求項８】
前記キャビティは、さらにその一部の境界が金型の上内壁面と下内壁面で画定され、前記上内壁面と前記下内壁面は、第３方向に間隔を置いて配置され、前記第３方向は前記第１方向と前記第２方向の何れとも垂直であり、前記上内壁面は前記左の内壁面と前記右の内壁面の何れか一方の端部の間に接続され、前記下内壁面は前記左の内壁面と前記右の内壁面の他方の端部の間に接続され、前記注湯通路は、前記上内壁面を貫通する上部注湯通路と、前記下内壁面を貫通する下部注湯通路とをさらに含み、前記射出機構は、上部射出機構と下部射出機構とをさらに含み、前記上部射出機構のノズルが前記上部注湯通路と対応し、前記下部射出機構のノズルが前記下部注湯通路と対応する
ことを特徴とする請求項５に記載のダイカスト装置。
【請求項９】
前記上部射出機構と前記下部射出機構は、いずれも射出通路の中心軸が前記第３方向に平行し、或いは前記上部射出機構と前記下部射出機構は、いずれも射出通路の中心軸が前記第３方向に対し所定の角度をなす
ことを特徴とする請求項８に記載のダイカスト装置。
【請求項１０】
前記上部射出機構と前記下部射出機構は、いずれも一つ以上であり、前記上部射出機構と前記上部注湯通路の数は等しく、前記下部射出機構と前記下部注湯通路の数は等しい
ことを特徴とする請求項８に記載のダイカスト装置。
【考案の詳細な説明】
【技術分野】
【０００１】
本考案は、ダイカスト技術分野に関し、特にダイカスト装置に関する。
【背景技術】
【０００２】
ダイカスト装置は、自動車や通信機器の製造分野において広く応用されている。ダイカスト装置は、金型と連携する射出機構を含む。射出機構は、金型のキャビティに金属溶湯を注入し、金属溶湯を冷却固化させて所望のダイカスト部品は成形される。従来のダイカスト装置において、長さが大きい又は厚みが小さいダイカスト部品を成形する場合に、成形後のダイカスト部品に構造的な欠けが形成され、強度が不十分になり、正確に成形できない態様になる可能性がある。また、大型で複雑な構造を持つダイカスト部品は成形される場合に、同じく、ダイカスト部品は構造的に強度が不十分になり、正確に成形できない問題がある。
【考案の概要】
【考案が解決しようとする課題】
【０００３】
本考案の解決しようとする技術課題の一つは、ダイカスト部品が迅速で正確に成形されると共に十分な構造強度を具備することを確保することである。
【課題を解決するための手段】
【０００４】
本考案のダイカスト装置は、キャビティと、それぞれ前記キャビティの異なる位置に連通される複数の注湯通路が設けられた金型と連携するダイカスト装置であって、複数の射出機構を含み、各前記射出機構は、それぞれ前記注湯通路に対応するノズルを含み、前記ノズルに、前記キャビティに溶湯を注入するように前記キャビティに連通する射出通路が設けられている。
【０００５】
一実施例において、前記キャビティは、その一部の境界が金型の左の内壁面で画定され、前記注湯通路は、前記左の内壁面を貫通する左の注湯通路を含み、前記射出機構は左の射出機構を含み、前記左の射出機構のノズルが前記左の注湯通路と対応し、前記左の射出機構は一つ以上であり、前記左の注湯通路の数と前記左の射出機構の数とが等しい。
【０００６】
一実施例において、前記キャビティは、さらにその一部の境界が金型の右の内壁面で画定され、前記注湯通路は、前記右の内壁面を貫通する右の注湯通路を含み、前記射出機構は右の射出機構を含み、前記右の射出機構のノズルが前記右の注湯通路と対応し、前記右の射出機構は一つ以上であり、前記右の注湯通路の数と前記右の射出機構の数とが等しい。
【０００７】
一実施例において、前記左の射出機構と前記右の射出機構は、いずれも射出通路の中心軸が前記第１方向に平行しており、あるいは前記左の射出機構及び前記右の射出機構は、いずれも射出通路の中心軸が前記第１方向に対し所定の角度をなす。
【０００８】
一実施例において、前記キャビティは、さらにその一部の境界が金型の前内壁面と後内壁面とで画定され、前記前内壁面と前記後内壁面は、第２方向に間隔を置いて配置され、前記第２方向は前記第１方向に対し垂直であり、前記前内壁面は前記左の内壁面と前記右の内壁面の何れか一方の端部の間に接続され、前記後内壁面は前記左の内壁面と前記右の内壁面の他方の端部の間に接続され、前記注湯通路は、前記前内壁面を貫通する前部注湯通路と、前記後内壁面を貫通する後部注湯通路とをさらに含み、前記射出機構は、前部射出機構と後部射出機構とをさらに含み、前記前部射出機構のノズルは、前記前部注湯通路に対応し、前記後部射出機構のノズルは、前記後部注湯通路に対応する。
【０００９】
一実施例において、前記前部射出機構と前記後部射出機構は、いずれも射出通路の中心軸が前記第２方向に平行し、或いは前記前部射出機構と前記後部射出機構は、いずれも射出通路の中心軸が前記第２方向に対し所定の角度をなす。
【００１０】
一実施例において、前記前部射出機構と前記後部射出機構は、いずれも一つ以上であり、前記前部射出機構と前記前部注湯通路の数は等しく、前記後部射出機構と前記後部注湯通路の数は等しい。
【００１１】
一実施例において、前記キャビティは、さらにその一部の境界が金型の上内壁面と下内壁面で画定され、前記上内壁面と前記下内壁面は、第３方向に間隔を置いて配置され、前記第３方向は前記第１方向と前記第２方向の何れとも垂直であり、前記上内壁面は前記左の内壁面と前記右の内壁面の何れか一方の端部の間に接続され、前記下内壁面は前記左の内壁面と前記右の内壁面の他方の端部の間に接続され、前記注湯通路は、前記上内壁面を貫通する上部注湯通路と、前記下内壁面を貫通する下部注湯通路とをさらに含み、前記射出機構は、上部射出機構と下部射出機構とをさらに含み、前記上部射出機構のノズルが前記上部注湯通路と対応し、前記下部射出機構のノズルが前記下部注湯通路と対応する。
【００１２】
一実施例において、前記上部射出機構と前記下部射出機構は、いずれも射出通路の中心軸が前記第３方向に平行し、或いは前記上部射出機構と前記下部射出機構は、いずれも射出通路の中心軸が前記第３方向に対し所定の角度をなす。
【００１３】
一実施例において、前記上部射出機構と前記下部射出機構は、いずれも一つ以上であり、前記上部射出機構と前記上部注湯通路の数は等しく、前記下部射出機構と前記下部注湯通路の数は等しい。
【考案の効果】
【００１４】
本考案の一実施例による技術効果の一つは、同一の注湯通路がキャビティと該キャビティの異なる位置で連通し、射出通路が設けられたノズルが注湯通路と対応することによって、キャビティの異なる位置から射出通路までの距離が減少し、キャビティのいかなる位置も異なる射出通路に対しすべて近傍端部分になるようにキャビティの遠方端部分が取り除かれる。これにより、溶湯の流通路が減少して溶湯の流通抵抗や圧力損失が低減するので、キャビティ全体に溶湯が充填される総時間を短縮することができ、ダイカスト部品の成形の効率が向上する。キャビティの各部分が溶湯で充填されるので、固化後のダイカスト部品が構造的に完全となるよう、正確に成形できる。そして、溶湯が固化して体積が収縮することによりキャビティの周縁部分に新たな充填空間が形成される場合、当該新たな充填空間のいかなる位置も異なる射出通路との距離が短くなるので、当該新たな充填空間のいかなる位置に対しても溶湯が到達する流通路が近くなり、溶湯の固化により生成された粘稠状又は固体状の金属塊であってその後の溶湯の流れに対する障害も解消され、異なる射出通路における溶湯が新たな充填空間のいかなる位置にも迅速に充填されるようになり、「収縮補償」が実現される。最終的にダイカスト部品の構造強度が確保される。また、射出機構の数が多いので、各射出機構における溶湯の一回の注湯量の合計がキャビティの容積よりも大きいので、キャビティ全体が充填されるのに十分な量の溶融液を確保することができる。
【図面の簡単な説明】
【００１５】
【図１】図１は一実施例に係るダイカスト装置の構造の斜視図である。
【図２】図２は他の角度で示された図１に示すダイカスト装置の構造の斜視図である。
【図３】図３は図１に示すダイカスト装置の横方向の断面構造の斜視図である。
【図４】図４は図１に示すダイカスト装置の縦方向の断面構造の斜視図である。
【図５】図５は一実施例に係るダイカスト方法の工程ルーチンのブロック図である。
【考案を実施するための形態】
【００１６】
本考案をよく理解するため、以下、図面を参照しながら、本考案を全面的に説明する。図面には、本考案の好ましい実施形態が示されている。しかしながら、本考案は、多くの異なる形態で実現することができ、本明細書に記載された実施形態に限定されるものではない。むしろ、これらの実施形態の提供は、本開示をより明確に且つ完全に理解することを目的とする。
【００１７】
なお、ある部品が別の部品に「固定されている」との記載は、別の部品に直接にあってもよく、または間に置かれた部品が存在してもよいことを理解されたい。ある部品が別の部品に「接続されている」との記載は、別の部品に直接にあってもよく、または間に置かれた部品が存在してもよい。本明細書で使用される「内」、「外」、「左」、「右」という用語および類似の表現は、単に例示を目的とし、唯一の実施形態を示すものではない。
【００１８】
図１、図３及び図４を参照する。本考案の一実施例に係るダイカスト装置１０は、金型１００と連携するものである。ダイカスト装置１０は、射出機構２００を含み、金型１００内にキャビティ１１０が設けられ、射出機構２００は複数である。射出機構２００は、金型１００に接続され、各射出機構２００には、キャビティ１１０に溶湯を注入するための射出通路２４１が設けられている。該溶湯は金属溶湯である。キャビティ１１０の少なくとも２つの異なる位置には、異なる射出機構２００の射出通路２４１が連通されている。もちろん、キャビティ１１０の少なくとも２つの異なる位置には、同一射出機構の射出通路２４１が連通されてもよい。
【００１９】
具体的には、金型１００には、さらに注湯通路１２０が設けられている。注湯通路１２０は複数である。注湯通路１２０は外部とキャビティ１１０を連通する。異なる注湯通路１２０はキャビティ１１０の異なる位置に連通する。射出機構２００は、ノズル２４０をさらに備え、射出通路２４１はノズル２４０に設けられ、ノズル２４０は、注湯通路１２０と対応している。例えば、ノズル２４０は注湯通路１２０内に直接挿入されている。溶湯が射出通路２４１に注入され、射出機構２００の動力部分が溶湯にある程度の圧力を加えると、射出通路２４１における溶湯がキャビティ１１０に注入される。
【００２０】
１つの射出機構２００を用いてキャビティ１１０のある特定の位置でキャビティ１１０に溶湯を注入すると、長さが大きい又は厚みが小さいダイカスト部品については、必ずキャビティ１１０の長さが大きくなって内部空間が狭くなり、狭いキャビティ１１０内で溶湯の流通抵抗が大きくなり、キャビティ１１０を流れる溶湯の圧力損失も大きくなる。したがって、射出機構２００に近いキャビティ１１０の近傍端部分に対しては、射出機構２００における溶湯がキャビティ１１０の近傍端部分に完全に充填されることができる。しかし、射出機構２００から離れたキャビティ１１０の遠方端部分に対しては、該遠方端部分に到達する溶湯の流通路が長くて圧力損失が大きいので、溶湯が該遠方端部分に迅速に到達できない。これに加えて、近傍端部分の溶湯が既に固化し始めることにより、さらにキャビティ１１０の遠方端部分に流れる溶湯に対する障害となり、キャビティ１１０の遠方端部分が溶湯で満たされることができない。最終的には、成形後のダイカスト部品に構造として欠けが生じるなど、ダイカスト部品を正確に成形できなくなる。つまり、ダイカスト部品が廃棄されることになる。
【００２１】
射出機構２００の圧力が十分に大きく、キャビティ１１０の全体に溶湯がぎりぎり充填されることができても、熱膨張及び冷収縮の原理によって、溶湯が冷却固化の過程において体積が収縮する。そして、キャビティ１１０の近傍端部分及び遠方端部分では、体積が収縮し、溶湯で充填されないので、新たな充填空間が生じる。このとき、キャビティ１１０の近傍端部分の新たな充填空間には、溶湯が注入されて「収縮補償」を実現することができるはずが、溶湯が固化して粘調状又は固体状の金属塊が形成され、この金属塊により、溶湯がキャビティ１１０の遠方端部分に流れる流動空間がさらに圧縮され、この流動空間がさらに狭くなる。このように、流通抵抗及び圧力損失がさらに増大するので、溶湯をキャビティ１１０の遠方端部分の新たな充填空間に注入して「収縮補償」を実現することができなくなる。新たな充填空間に溶湯を注入して「収縮補償」を実現できないため、ダイカスト部品は、薄肉部が緻密ではなく、大量の収縮孔が形成される。これにより、成形後のダイカスト部品は構造強度が不十分となり、製品の性能が技術の規格を満たさない。また、溶湯がキャビティ１１０の遠方端部分に流れる流通路が長くなるため、キャビティ１１０全体に溶湯が充填される全時間が長くなる。その結果、ダイカスト部品の成形の効率が低下し、短時間内で迅速にダイカスト部品を成形することができない。
【００２２】
大型で構造が複雑なダイカスト部品に対しては、必ずキャビティ１１０の総容積が大きくなり、キャビティ１１０の構造がより複雑になる。一つの射出機構２００を用いてキャビティ１１０のある特定の位置でキャビティ１１０に溶湯を注入する場合には、一つの射出機構２００の射出通路２４１の容積に限界があるので、射出機構２００による一回の溶湯の注入量で容積の大きいキャビティ１１０を充填することが困難である。最終的には、成形後のダイカスト部品に構造として欠けが生じるなど、ダイカスト部品を正確に成形できない。つまり、ダイカスト部品が廃棄されることになる。射出機構２００による一回の溶湯の注湯量が十分に大きくて、容積の大きいキャビティ１１０を充填することができても、上述の長さが大きくて厚さが小さいダイカスト部品の成形を参照するとわかるように、同様に溶湯は冷却固化の過程において体積が収縮し、キャビティ１１０の近傍端部分と遠方端部分とに新たな充填空間を生じる。溶湯が固化して粘稠状又は固体状の金属塊が形成され、この金属塊により、溶湯がキャビティ１１０の遠方端部分に流れる流動空間がさらに圧縮される。この流動空間がさらに狭くなり、流通抵抗と圧力損失がさらに増大し、溶湯をキャビティ１１０の遠方端部分の新たな充填空間に注入することができなくなり、「収縮補償」を実現できないので、ダイカスト部品の遠方端部分が緻密ではなく、大量の収縮孔が形成される。最終的には、成型後のダイカスト部品が十分な構造強度を有しない。また、溶湯がキャビティ１１０の遠方端部分に流れる流通路が長くなり、最終的にダイカスト部品の成形の効率に影響を及ぼす。
【００２３】
上記実施例のダイカスト装置１０については、キャビティ１１０の少なくとも２つの異なる位置に射出通路２４１が連通しているので、キャビティ１１０のいかなる位置からも射出通路２４１までの距離が短くなる。これにより、キャビティ１１０のいかなる位置を起点としても、異なる位置の射出通路２４１に対して近傍端部分が形成され、キャビティ１１０の遠方端部分が取り除かれる。長さが大きい又は厚みが小さいダイカスト部品に対しては、溶湯の流通路が減少し、溶湯の流通抵抗や圧力損失が減少し、キャビティ１１０全体に溶湯が充填される総時間が減少し、ダイカスト部品の成形効率が向上する。キャビティ１１０の各部分が溶湯で充填されることができるので、固化後のダイカスト構造が完全で正確な成形になる。同時に、溶湯が固化して体積が収縮することで、キャビティ１１０の周縁部分に新たな充填空間が形成される場合、この新たな充填空間の異なる位置から異なる射出通路２４１までの距離が短くなるので、溶湯がこの新たな充填空間の異なる位置に到達する流通路が減少し、粘稠状又は固体状の金属塊が溶湯の流れに対する障害になることも解消され、異なる射出通路２４１の中の溶湯が新たな充填空間の異なる位置に迅速に充填されることによって、「収縮補償」を実現してダイカスト部品に収縮孔が生じることを防止し、ダイカスト部品の緻密性が向上する。最終的には、ダイカスト部品の構造強度が確保される。
【００２４】
大型で構造が複雑なダイカスト部品に対しては、射出機構２００の数が多いので、各射出機構２００による一回の溶湯の注湯量の合計がキャビティ１１０の容積よりも大きくなり、キャビティ１１０全体に溶湯が満たされことが確保され、固化後のダイカスト部品の構造が完全となる正確な成形ができる。複数の射出機構２００から同時にキャビティ１１０に溶湯を注入する場合に、キャビティ１１０に溶湯を充填する総時間を短縮することができ、ダイカスト部品の成形効率が向上する。同様に、溶湯の体積が収縮してキャビティ１１０の周縁部分に新たな充填空間が生じる場合に、この新たな充填空間のいかなる位置も異なる射出通路２４１との距離が短いので、異なる射出通路２４１における溶湯が新たな充填空間の異なる位置を迅速に満たして「収縮補償」を実現することが確保される。最終的には、ダイカスト部品の構造強度が確保される。また、大型で複雑な構造のダイカスト部品が一回で成形されることによって、製品の各部品を異なる機器で生産して該部品を異なる工具で組み合わせて製品にすることが回避されるので、生産効率が向上し、生産機器数、人件費、生産コスト及び工場の敷地面積も低減する。
【００２５】
図２、図３および図４を参照する。一実施例において、キャビティ１１０は、その一部の境界が左の内壁面１１１および右の内壁面１１２で画定される。左の内壁面１１１および右の内壁面１１２は平面または曲面であってもよい。左の内壁面１１１と右の内壁面１１２は、両者が第１方向（X軸方向）に間隔を置いて設けられている。例えば、第１方向は水平で横向きである。注湯通路１２０は、左注湯通路１２１と右注湯通路１２２とを備え、左注湯通路１２１は外界と連通して左の内壁面１１１を貫通してキャビティ１１０に連通し、右注湯通路１２２は外界と連通して右の内壁面１１２を貫通してキャビティ１１０に連通する。射出機構２００は、左の射出機構２１１と右の射出機構２１２を含み、左の射出機構２１１のノズル２４０は、左注湯通路１２１に対応している。左の射出機構２１１と左注湯通路１２１とは数量が等しく、両者が一対一の対応関係で形成される。右の射出機構２１２のノズル２４０は右注湯通路１２２に対応している。右の射出機構２１２と右注湯通路１２２とは数量が等しく、両者が一対一の対応関係で形成される。
【００２６】
左の内壁面１１１と右の内壁面１１２とは、第１方向に沿って間隔を置いて配置される。この第１方向においては、キャビティ１１０の左部分は左の射出機構２１１に近接して配置されるので、キャビティ１１０の左部分が左の射出機構２１１に対して近傍端部分となる。キャビティ１１０の右部分は右の射出機構２１２に近接して配置されるので、キャビティ１１０の右部分が右の射出機構２１２に対して近傍端部分となる。このように、キャビティ１１０は第１方向において遠方端部分が取り除かれ、溶湯が短時間で第１方向に沿ってキャビティ１１０全体に充填され、ダイカスト部品が迅速かつ正確に成形される。また、溶湯が固化して体積が収縮することによって、キャビティ１１０の周縁部分に新たな充填空間が形成されると、新たな充填空間の左部分は左の射出機構２１１に近く、新たな充填空間の右部分は右の射出機構２１２に近くなるので、左の射出機構２１１の溶湯が新たな充填空間の左部分に迅速に充填され、右の射出機構２１２の溶湯が新たな充填空間の右部分に迅速に充填される。最終的には、新たな充填空間の異なる位置に溶湯が全て充填され「収縮補償」が実現される。これにより、ダイカスト部品の構造的強度が確保される。
【００２７】
左の射出機構２１１及び右の射出機構２１２は複数である場合には、キャビティ１１０が溶湯で満たされる時間がより早くなり、新たな充填空間が溶湯で満たされる時間も早くなるので、ダイカスト部品の成形効率をより高めることができる。前部射出機構２２１及び後部射出機構２２２はいずれも射出通路２４１の中心軸が第１方向に平行であってもよい。勿論、前部射出機構２２１及び後部射出機構２２２は、いずれも射出通路２４１の中心軸が第１方向と所定の角度をなしてもよい。すなわち、該中心軸は第１方向と交差することによって、第１方向に対して傾斜して配置される。したがって、溶湯の噴射方向を変更することによって、キャビティ１１０及び新たな充填空間が溶湯で満たされる時間をある程度改善することができる。
【００２８】
一実施例において、キャビティ１１０は、さらにその一部の境界が前内壁面１１３及び後内壁面１１４で画定される。前内壁面１１３及び後内壁面１１４は平面又は曲面であってもよい。前内壁面１１３及び後内壁面１１４は、第２方向（Y軸方向）に沿って間隔をあけて配置されている。例えば、第２方向が水平で縦向であるので、第１方向と直交する。前内壁面１１３は、左の内壁面１１１および右の内壁面１１２の一端（前端）間に接続されている。後内壁面１１４は、左の内壁面１１１および右の内壁面１１２の他端（後端）間に接続されている。注湯通路１２０は、前注湯通路と後注湯通路とをさらに含み、前注湯通路は外部と連通し、前内壁面１１３を貫通してキャビティ１１０と連通する。後注湯通路は外部と連通し、後内壁面１１４を貫通してキャビティ１１０と連通する。射出機構２００は、さらに、前部射出機構２２１と後部射出機構２２２を含む。前部射出機構２２１のノズル２４０は、前注湯通路と対応している。前部射出機構２２１と前注湯通路とは数量が等しく、両者が一対一の対応関係で形成される。後部射出機構２２２のノズル２４０は後注湯通路に対応している。後部射出機構２２２と後注湯通路とは数量が等しく、両者が一対一の対応関係で形成される。
【００２９】
前内壁面１１３および後内壁面１１４が第２方向に間隔を置いて配置されていることによって、第２方向においては、キャビティ１１０の前部分が前部射出機構２２１に近接して配置されるので、キャビティ１１０の前部分が前部射出機構２２１に対して近傍端部分となり、キャビティ１１０の後部分が後部射出機構２２２に近接して配置されるので、キャビティ１１０の後部分が後部射出機構２２２に対して近傍端部分となる。このように、キャビティ１１０の遠方端部分が第２方向に取り除かれ、キャビティ１１０全体に溶湯が短時間で第２方向に充填され、ダイカスト部品が迅速かつ正確に成形される。また、溶湯が固化して体積が収縮することによって、キャビティ１１０の周縁部分に新たな充填空間が形成されると、新たな充填空間の前部分が前部射出機構２２１に近く、新たな充填空間の後部分は後部射出機構２２２に近くなる。これにより、前部射出機構２２１の溶湯が新たな充填空間の前部分に迅速に充填され、後部射出機構２２２の溶湯が新たな充填空間の後部分に迅速に充填される。最終的には、新たな充填空間の異なる位置に溶湯が充填されて「収縮補償」が実現され、ダイカスト部品の構造強度が確保される。
【００３０】
前部射出機構２２１及び後部射出機構２２２は複数である場合には、キャビティ１１０が溶湯で満たされる時間がより早くなり、新たな充填空間が溶湯で満たされる時間も早くなるので、ダイカスト部品の成形効率をより高めることができる。前部射出機構２２１及び後部射出機構２２２は、いずれも射出通路２４１の中心軸が第２方向に平行であってもよい。勿論、前部射出機構２２１及び後部射出機構２２２は、いずれも射出通路２４１の中心軸が第２方向と所定の角度をなしてもよい。すなわち、該中心軸は第２方向と交差することによって、第２方向に対して傾斜して配置される。したがって、溶湯の噴射方向を変更することによって、キャビティ１１０及び新たな充填空間が溶湯で満たされる時間をある程度改善することができる。
【００３１】
一実施例において、キャビティ１１０は、さらにその一部の境界が上内壁面１１５及び下内壁面１１６で画定される。上内壁面１１５及び下内壁面１１６は平面又は曲面であってもよい。上内壁面１１５及び下内壁面１１６は、両者が第３方向（Z軸方向）に沿って間隔をあけて配置されている。上内壁面１１５は、左の内壁面１１１および右の内壁面１１２の一端（前端）間に接続されている。下内壁面１１６は、前記左の内壁面１１１および前記右の内壁面１１２の他端（後端）間に接続されている。例えば、第３方向が縦方向であるので、第１方向、第２方向と直交する。この時、第１方向、第２方向、第３方向が共に空間直交座標系の３つの座標軸の延在方向を構成する。注湯通路１２０は、上注湯通路と下注湯通路とをさらに含み、上注湯通路は外部と連通し、上内壁面１１５を貫通してキャビティ１１０と連通する。下注湯通路は外部と連通し、下内壁面１１６を貫通してキャビティ１１０と連通する。射出機構２００は、さらに、上部射出機構２３１と下部射出機構２３２を含む。上部射出機構２３１のノズル２４０は、上注湯通路と対応している。上部射出機構２３１と上注湯通路とは数量が等しく、両者が一対一の対応関係で形成される。下部射出機構２３２のノズル２４０は下注湯通路に対応している。下部射出機構２３２と下注湯通路とは数量が等しく、両者が一対一の対応関係で形成される。
【００３２】
上内壁面１１５および下内壁面１１６が第３方向に間隔を置いて配置されていることによって、第３方向においては、キャビティ１１０の上部分が上部射出機構２３１に近接して配置されるので、キャビティ１１０の上部分が上部射出機構２３１に対して近傍端部分となり、キャビティ１１０の下部分が下部射出機構２３２に近接して配置されるので、キャビティ１１０の下部分が下部射出機構２３２に対して近傍端部分となる。このように、キャビティ１１０の遠方端部分が第３方向において取り除かれ、キャビティ１１０全体に溶湯が短時間で第３方向に充填され、ダイカスト部品が迅速かつ正確に成形される。また、溶湯が固化して体積が収縮することによって、キャビティ１１０の周縁部分に新たな充填空間が形成されると、新たな充填空間の前部分が上部射出機構２３１に近くなり、新たな充填空間の下部分は下部射出機構２３２に近くなる。これにより、上部射出機構２３１の溶湯が新たな充填空間の前部分に迅速に充填され、下部射出機構２３２の溶湯が新たな充填空間の後部分に迅速に充填される。最終的には、新たな充填空間の異なる位置に溶湯が充填されて「収縮補償」が実現され、ダイカスト部品の構造強度が確保される。
【００３３】
上部射出機構２３１及び下部射出機構２３２は複数である場合には、キャビティ１１０が溶湯で満たされる時間がより早くなり、新充填空間が溶湯で満たされる時間も早くなるので、ダイカスト部品の成形効率をより高めることができる。前部射出機構２２１及び後部射出機構２２２は、いずれも射出通路２４１の中心軸が第３方向に平行であってもよい。勿論、前部射出機構２２１及び後部射出機構２２２は、いずれも射出通路２４１の中心軸が第３方向と所定の角度をなしてもよい。すなわち、該中心軸は第３方向と交差することによって、第３方向に対して傾斜して配置される。したがって、溶湯の噴射方向を変更することによって、キャビティ１１０及び新たな充填空間が溶湯で満たされる時間をある程度で改善することができる。
【００３４】
従って、射出機構２００は、第１方向、第２方向及び第３方向からキャビティ１１０に溶湯を注入することができるので、キャビティ１１０及び新たな充填空間が溶湯で満たされる時間を減少させ、ダイカスト部品が迅速かつ正確に成形されて十分な構造的強度を具備することを確保する。
【００３５】
図３、図４及び図５を参照する。本考案は、ダイカスト方法を提供し、このダイカスト方法は、上述ダイカスト装置１０及び金型１００で実現される。このダイカスト法は、主に以下のステップを含む。
【００３６】
Ｓ３１０：キャビティ１１０が設けられた金型１００を用意する。金型１００は、固定金型と可動金型とを含む。固定金型と可動金型の両者を組み合わせてキャビティ１１０を形成する。
【００３７】
Ｓ３２０：複数の射出機構２００を用意し、各射出機構２００にキャビティ１１０と連通する射出通路２４１を設け、少なくとも２つの射出機構２００の射出通路２４１からキャビティ１１０の異なる位置にキャビティ１１０に溶湯を注入する。空間直交座標系の３つの座標軸を基準とし、射出通路２４１は、第１方向（X軸方向）に沿ってキャビティ１１０の異なる位置で溶湯を注入してもよく、第２方向（Y軸方向）及び/又は第３方向（Z軸方向）に沿ってキャビティ１１０の異なる位置に溶湯を注入してもよい。これにより、キャビティ１１０及び新たな充填空間が溶湯で満たされる時間が短縮され、ダイカスト部品が迅速かつ正確に成形されて十分な構造強度を具備することを確保できる。
【００３８】
Ｓ３３０：キャビティ１１０の中の溶湯を冷却して成形させる。溶湯は、炉とともに自然に冷却されてもよく、水冷や油冷によって冷却されてもよい。
一実施例において、全ての射出機構２００の射出通路２４１が同時にキャビティ１１０に溶湯を注入する。もちろん、全ての射出機構２００の射出通路２４１が時間の順にキャビティ１１０に溶湯を注入してもよい。
【００３９】
上記実施態様は、本考案のいくつかの実施態様を示したに過ぎず、その説明は、より具体的かつ詳細になされたが、実用新案登録請求の範囲を制限するものと理解するべきではない。なお、当業者であれば、本考案の思想を逸脱することなく、各種の変更、改良等が可能であり、それらも本考案の範囲内に属することは言うまでもない。したがって、本考案の保護範囲は、添付の実用新案登録請求の範囲によって規定される。
【図１】
0003232142.tif 000003
【図２】
0003232142.tif 000004
【図３】
0003232142.tif 000005
【図４】
0003232142.tif 000006
【図５】
0003232142.tif 000007
【手続補正書】
【提出日】令和3年3月23日(2021.3.23)
【手続補正１】
【補正対象書類名】実用新案登録請求の範囲
【補正対象項目名】全文
【補正方法】変更
【補正の内容】
【実用新案登録請求の範囲】
【請求項１】
キャビティと、それぞれで前記キャビティの異なる位置に連通される複数の注湯通路が設けられた金型と連携するダイカスト装置であって、
複数の射出機構を含み、各前記射出機構は，それぞれ前記注湯通路に対応するノズルを含み、前記ノズルに、前記キャビティに溶湯を注入するように前記キャビティに連通する射出通路が設けられている
ことを特徴とするダイカスト装置。
【請求項２】
前記キャビティは、その一部の境界が金型の左の内壁面で画定され、前記注湯通路は、前記左の内壁面を貫通する左の注湯通路を含み、前記射出機構は左の射出機構を含み、前記左の射出機構のノズルが前記左の注湯通路と対応し、前記左の射出機構は一つ以上であり、前記左の注湯通路の数と前記左の射出機構の数とが等しい
ことを特徴とする請求項１に記載のダイカスト装置。
【請求項３】
前記キャビティは、さらにその一部の境界が金型の右の内壁面で画定され、前記注湯通路は、前記右の内壁面を貫通する右の注湯通路を含み、前記射出機構は右の射出機構を含み、前記右の射出機構のノズルが前記右の注湯通路と対応し、前記右の射出機構は一つ以上であり、前記右の注湯通路の数と前記右の射出機構の数とが等しい
ことを特徴とする請求項２に記載のダイカスト装置。
【請求項４】
前記左の射出機構と前記右の射出機構は、いずれも射出通路の中心軸が第１方向に平行しており、あるいは前記左の射出機構及び前記右の射出機構は、いずれも射出通路の中心軸が第１方向に対し所定の角度をなす
ことを特徴とする請求項３に記載のダイカスト装置。
【請求項５】
前記キャビティは、さらにその一部の境界が金型の前内壁面と後内壁面とで画定され、前記前内壁面と前記後内壁面は、第２方向に間隔を置いて配置され、前記第２方向は第１方向に対し垂直であり、前記前内壁面は前記左の内壁面と前記右の内壁面の何れか一方の端部の間に接続され、前記後内壁面は前記左の内壁面と前記右の内壁面の他方の端部の間に接続され、前記注湯通路は、前記前内壁面を貫通する前部注湯通路と、前記後内壁面を貫通する後部注湯通路とをさらに含み、前記射出機構は、前部射出機構と後部射出機構とをさらに含み、前記前部射出機構のノズルは、前記前部注湯通路に対応し、前記後部射出機構のノズルは、前記後部注湯通路に対応する
ことを特徴とする請求項３に記載のダイカスト装置。
【請求項６】
前記前部射出機構と前記後部射出機構は、いずれも射出通路の中心軸が前記第２方向に平行し、或いは前記前部射出機構と前記後部射出機構は、いずれも射出通路の中心軸が前記第２方向に対し所定の角度をなす
ことを特徴とする請求項５に記載のダイカスト装置。
【請求項７】
前記前部射出機構と前記後部射出機構は、いずれも一つ以上であり、前記前部射出機構と前記前部注湯通路の数は等しく、前記後部射出機構と前記後部注湯通路の数は等しい
ことを特徴とする請求項５に記載のダイカスト装置。
【請求項８】
前記キャビティは、さらにその一部の境界が金型の上内壁面と下内壁面で画定され、前記上内壁面と前記下内壁面は、第３方向に間隔を置いて配置され、前記第３方向は第１方向と前記第２方向の何れとも垂直であり、前記上内壁面は前記左の内壁面と前記右の内壁面の何れか一方の端部の間に接続され、前記下内壁面は前記左の内壁面と前記右の内壁面の他方の端部の間に接続され、前記注湯通路は、前記上内壁面を貫通する上部注湯通路と、前記下内壁面を貫通する下部注湯通路とをさらに含み、前記射出機構は、上部射出機構と下部射出機構とをさらに含み、前記上部射出機構のノズルが前記上部注湯通路と対応し、前記下部射出機構のノズルが前記下部注湯通路と対応する
ことを特徴とする請求項５に記載のダイカスト装置。
【請求項９】
前記上部射出機構と前記下部射出機構は、いずれも射出通路の中心軸が前記第３方向に平行し、或いは前記上部射出機構と前記下部射出機構は、いずれも射出通路の中心軸が前記第３方向に対し所定の角度をなす
ことを特徴とする請求項８に記載のダイカスト装置。
【請求項１０】
前記上部射出機構と前記下部射出機構は、いずれも一つ以上であり、前記上部射出機構と前記上部注湯通路の数は等しく、前記下部射出機構と前記下部注湯通路の数は等しい
ことを特徴とする請求項８に記載のダイカスト装置。
【手続補正２】
【補正対象書類名】明細書
【補正対象項目名】０００７
【補正方法】変更
【補正の内容】
【０００７】
一実施例において、前記左の射出機構と前記右の射出機構は、いずれも射出通路の中心軸が第１方向に平行しており、あるいは前記左の射出機構及び前記右の射出機構は、いずれも射出通路の中心軸が第１方向に対し所定の角度をなす。
【手続補正３】
【補正対象書類名】明細書
【補正対象項目名】０００８
【補正方法】変更
【補正の内容】
【０００８】
一実施例において、前記キャビティは、さらにその一部の境界が金型の前内壁面と後内壁面とで画定され、前記前内壁面と前記後内壁面は、第２方向に間隔を置いて配置され、前記第２方向は第１方向に対し垂直であり、前記前内壁面は前記左の内壁面と前記右の内壁面の何れか一方の端部の間に接続され、前記後内壁面は前記左の内壁面と前記右の内壁面の他方の端部の間に接続され、前記注湯通路は、前記前内壁面を貫通する前部注湯通路と、前記後内壁面を貫通する後部注湯通路とをさらに含み、前記射出機構は、前部射出機構と後部射出機構とをさらに含み、前記前部射出機構のノズルは、前記前部注湯通路に対応し、前記後部射出機構のノズルは、前記後部注湯通路に対応する。
【手続補正４】
【補正対象書類名】明細書
【補正対象項目名】００１１
【補正方法】変更
【補正の内容】
【００１１】
一実施例において、前記キャビティは、さらにその一部の境界が金型の上内壁面と下内壁面で画定され、前記上内壁面と前記下内壁面は、第３方向に間隔を置いて配置され、前記第３方向は第１方向と前記第２方向の何れとも垂直であり、前記上内壁面は前記左の内壁面と前記右の内壁面の何れか一方の端部の間に接続され、前記下内壁面は前記左の内壁面と前記右の内壁面の他方の端部の間に接続され、前記注湯通路は、前記上内壁面を貫通する上部注湯通路と、前記下内壁面を貫通する下部注湯通路とをさらに含み、前記射出機構は、上部射出機構と下部射出機構とをさらに含み、前記上部射出機構のノズルが前記上部注湯通路と対応し、前記下部射出機構のノズルが前記下部注湯通路と対応する。